(57)【要約】【課題】娯楽性の高いテレビ受像機を提供する。【解決手段】表示部１６と、スピーカ１４と、ＥＰＧ情報を取得するＥＰＧ取得手段（信号処理部９及び制御部１０）と、前記ＥＰＧ取得手段によって取得されたＥＰＧ情報に応じて、所定期間に放送されたテレビ番組をチャンネル毎及び番組毎に記録する記録手段（ＨＤＤ記録再生部１１）と、前記記録手段によって記録されているテレビ番組を再生する再生手段（ＨＤＤ記録再生部１１）とを備え、表示部１６が、現在放送されているテレビ番組の映像表示以外に、前記再生手段からの再生映像の表示も可能であり、スピーカ１４が、現在放送されているテレビ番組の音声出力以外に、前記再生手段からの再生音声の出力も可能であるテレビ受像機。【選択図】図１
2010232761.tif 000002
【特許請求の範囲】
【請求項１】
表示部と、
音声出力部と、
ＥＰＧ情報を取得するＥＰＧ取得手段と、
前記ＥＰＧ取得手段によって取得されたＥＰＧ情報に応じて、所定期間に放送されたテレビ番組をチャンネル毎及び番組毎に記録する記録手段と、
前記記録手段によって記録されているテレビ番組を再生する再生手段とを備え、
前記表示部が、現在放送されているテレビ番組の映像表示以外に、前記再生手段からの再生映像の表示も可能であり、
前記音声出力部が、現在放送されているテレビ番組の音声出力以外に、前記再生手段からの再生音声の出力も可能であることを特徴とするテレビ受像機。
【請求項２】
前記表示部が現在放送されているテレビ番組の映像表示を行い、前記音声出力部が現在放送されているテレビ番組の音声出力を行っているときに、ユーザによる所定の１回のキー操作が為されると、
前記再生手段が、前記表示部により映像表示が行われ前記音声出力部により音声出力が行われているテレビ番組と同一のテレビ番組の先頭箇所からの再生を開始し、
前記表示部が、現在放送されているテレビ番組の映像表示から、前記再生手段からの再生映像の表示に切り替え、
前記音声出力部が、現在放送されているテレビ番組の音声出力から、前記再生手段からの再生音声の出力に切り替えることを特徴とする請求項１に記載のテレビ受像機。
【請求項３】
前記表示部が、前記ＥＰＧ取得手段によって取得されたＥＰＧ情報に基づく番組表の表示を行い、
前記番組表の表示に、前記再生手段によって再生されるテレビ番組であることを示す表示と、前記再生手段によって再生されるテレビ番組の視聴開始箇所を示す表示とが含まれ、
前記再生手段によって再生されるテレビ番組であることを示す表示と、前記再生手段によって再生されるテレビ番組の視聴開始箇所を示す表示とはそれぞれ、ユーザによる所定のキー操作に応じて移動が可能であることを特徴とする請求項１または請求項２に記載のテレビ受像機。
【請求項４】
ユーザによるキー操作で指定されたテレビ番組を録画保存する録画保存手段を備える請求項１〜３のいずれか１項に記載のテレビ受像機。
【発明の詳細な説明】
【技術分野】
【０００１】
本発明は、テレビ放送信号を受信して映像及び音声を出力するテレビ受像機に関する。
【背景技術】
【０００２】
テレビ受像機は、電源をオンしチャンネルを選択するだけでテレビ番組を視聴することができるため、娯楽としてのポテンシャルが非常に高いものである。したがって、予め視聴すると決めていたテレビ番組が無い場合でも、暇つぶし等のためにテレビ受像機をつけるといった使用方法がよくとられる。
【先行技術文献】
【特許文献】
【０００３】
【特許文献１】特開２００５−１５１１６４号公報（第１図、第６図）
【発明の概要】
【発明が解決しようとする課題】
【０００４】
しかしながら、ユーザが暇つぶし等のためにテレビ受像機をつけて現在放送されているテレビ番組を一通り確認したところ、特に見たいテレビ番組が無かった場合、テレビ受像機は娯楽としての目的を果たすことなく消されることになっていた。
【０００５】
一方、予め視聴すると決めていたテレビ番組がある場合には、そのテレビ番組を録画機器の予約録画機能により録画することが一般的に行われているが、事前に番組表を確認して計画的に予約録画を行うという作業は手間が掛かりユーザにとって煩わしかった。また、予め視聴すると決めていたテレビ番組がある場合でも、そのテレビ番組が始まるまでに帰宅する予定になっていれば、通常わざわざ予約録画しないが、帰宅時間が予定より遅れて予め視聴すると決めていたテレビ番組を見逃すこともあった。
【０００６】
また、特許文献１では、放送されたテレビ番組のいずれをもほぼ確実に視聴させ得る放送信号蓄積装置が提案されている。しかしながら、当該放送信号蓄積装置とテレビ受像機とは別物であるため、当該放送信号蓄積装置を設置する際に当該放送信号蓄積装置とテレビ受像機とテレビ受像機との接続が必要となり、その接続が煩雑であるという問題がある。さらに、当該放送信号蓄積装置に付属しているリモコン送信機とテレビ受像機に付属しているリモコン送信機とが存在するため、当該放送信号蓄積装置とテレビ受像機の操作が煩雑であるという問題もある。特に高齢者は、在宅時間も長く、暇つぶし等のためにテレビ受像機を視聴する時間が長くなる傾向にあるが、このように接続や操作が煩雑であると利用し難い。
【０００７】
本発明は、上記の状況に鑑み、娯楽性の高いテレビ受像機を提供することを目的とする。
【課題を解決するための手段】
【０００８】
上記目的を達成するために本発明に係るテレビ受像機は、表示部と、音声出力部と、ＥＰＧ情報を取得するＥＰＧ取得手段と、前記ＥＰＧ取得手段によって取得されたＥＰＧ情報に応じて、所定期間に放送されたテレビ番組をチャンネル毎及び番組毎に記録する記録手段と、前記記録手段によって記録されているテレビ番組を再生する再生手段とを備え、前記表示部が、現在放送されているテレビ番組の映像表示以外に、前記再生手段からの再生映像の表示も可能であり、前記音声出力部が、現在放送されているテレビ番組の音声出力以外に、前記再生手段からの再生音声の出力も可能である構成とする。
【０００９】
このような構成によると、表示部が、現在放送されているテレビ番組の映像表示以外に、再生手段からの再生映像の表示も可能であり、音声出力部が、現在放送されているテレビ番組の音声出力以外に、再生手段からの再生音声の出力も可能であるので、視聴することができるテレビ番組の選択肢を、現在放送されているテレビ番組のみならず、所定期間に放送されたテレビ番組にまで拡げることができる。これにより、娯楽性を高くすることができる。
【００１０】
また、上記構成のテレビ受像機において、前記表示部が現在放送されているテレビ番組の映像表示を行い、前記音声出力部が現在放送されているテレビ番組の音声出力を行っているときに、ユーザによる所定の１回のキー操作が為されると、前記再生手段が、前記表示部により映像表示が行われ前記音声出力部により音声出力が行われているテレビ番組と同一のテレビ番組の先頭箇所からの再生を開始し、前記表示部が、現在放送されているテレビ番組の映像表示から、前記再生手段からの再生映像の表示に切り替え、前記音声出力部が、現在放送されているテレビ番組の音声出力から、前記再生手段からの再生音声の出力に切り替えるようにすることが望ましい。
【００１１】
これにより、現在映像表示及び音声出力が行われているテレビ番組のタイムシフト再生（追っかけ再生）及びその視聴が１回のキー操作で実現できるので、非常に利便性が高くなる。
【００１２】
また、上記いずれかの構成のテレビ受像機において、前記表示部が、前記ＥＰＧ取得手段によって取得されたＥＰＧ情報に基づく番組表の表示を行い、前記番組表の表示に、前記再生手段によって再生されるテレビ番組であることを示す表示と、前記再生手段によって再生されるテレビ番組の視聴開始箇所を示す表示とが含まれ、前記再生手段によって再生されるテレビ番組であることを示す表示と、前記再生手段によって再生されるテレビ番組の視聴開始箇所を示す表示とはそれぞれ、ユーザによる所定のキー操作に応じて移動が可能であることが望ましい。
【００１３】
これにより、再生手段によって再生されるテレビ番組の指定、及び、再生手段によって再生されるテレビ番組の視聴開始箇所の指定が容易になり、利便性が高くなる。
【００１４】
また、上記いずれかの構成のテレビ受像機において、ユーザによるキー操作で指定されたテレビ番組を録画保存する録画保存手段を備えるようにしてもよい。
【００１５】
これにより、視聴することができるテレビ番組の選択肢を、より一層拡げることができる。
【発明の効果】
【００１６】
本発明に係るテレビ受像機によると、表示部が、現在放送されているテレビ番組の映像表示以外に、再生手段からの再生映像の表示も可能であり、音声出力部が、現在放送されているテレビ番組の音声出力以外に、再生手段からの再生音声の出力も可能であるので、視聴することができるテレビ番組の選択肢を、現在放送されているテレビ番組のみならず、所定期間に放送されたテレビ番組にまで拡げることができる。これにより、娯楽性を高くすることができる。
【図面の簡単な説明】
【００１７】
【図１】は、本発明に係るテレビ受像機の一構成例を示す図である。
【図２】は、図１に示すテレビ受像機に付属しているリモコン送信機の外観例を示す図である。
【図３】は、番組表の表示例を示す図である。
【図４】は、番組表の他の表示例を示す図である。
【図５】は、本発明に係るテレビ受像機の他の構成例を示す図である。
【発明を実施するための形態】
【００１８】
本発明の実施形態について図面を参照して以下に説明する。本発明に係るテレビ受像機の一構成例を図１に示す。図１に示すテレビ受像機１００は、ＵＨＦ入力端子Ｔ１と、ＣＳ／ＢＳ−ＩＦ入力端子Ｔ２と、地上デジタル放送信号の受信が可能な地上デジタルチューナ１〜７と、衛星デジタル放送中間周波（ＣＳ／ＢＳ−ＩＦ）信号の受信が可能なＢＳ／ＣＳデジタルチューナ８と、バッファメモリを内蔵している信号処理部９と、不揮発性メモリを内蔵している制御部１０と、ＨＤＤ記録再生部１１と、リモコン受信部１２と、増幅部１３と、スピーカ１４と、ＯＳＤ（On Screen Display）部１５と、表示部１６とを備えている。
【００１９】
ＵＨＦ入力端子Ｔ１には、ＵＨＦ帯受信用アンテナＡＮＴ１によって受信された地上デジタル放送信号が入力される。一方、ＣＳ／ＢＳ−ＩＦ入力端子Ｔ２には、衛星デジタル放送受信用アンテナＡＮＴ２によって受信され、衛星デジタル放送受信用アンテナＡＮＴ２に付属するＬＮＢ（Low Noise Block Converter）によって周波数変換された衛星デジタル放送中間周波信号が入力される。
【００２０】
地上デジタルチューナ１〜７はそれぞれ、ＵＨＦ入力端子ＡＮＴ１から地上デジタル放送信号を受け取り、制御部１０の不揮発性メモリに記憶されている放送受信設定に従って、地上デジタル放送信号の選局及び復調を行う。例えば、図１に示すテレビ受像機１００の設置地域が大阪である場合、地上デジタルチューナ１がＮＨＫ総合を選局し、地上デジタルチューナ２がＮＨＫ教育を選局し、地上デジタルチューナ３が毎日放送を選局し、地上デジタルチューナ４が朝日放送を選局し、地上デジタルチューナ５がテレビ大阪を選局し、地上デジタルチューナ６が関西テレビを選局し、地上デジタルチューナ７が讀賣テレビを選局するようにする。
【００２１】
ＢＳ／ＣＳデジタルチューナ８は、ＣＳ／ＢＳ−ＩＦ入力端子Ｔ２から衛星デジタル放送中間周波信号を受け取り、ユーザによるチャンネル選択がＢＳ／ＣＳのチャンネルで無い場合は、制御部１０の不揮発性メモリに記憶されている放送受信設定の中の所定のチャンネル設定に従って、衛星デジタル放送中間周波信号の選局及び復調を行い、ユーザによるチャンネル選択がＢＳ／ＣＳのチャンネルで有る場合は、ユーザによるチャンネル選択に従って、衛星デジタル放送中間周波信号の選局及び復調を行う。
【００２２】
信号処理部９は、地上デジタルチューナ１〜７及びＢＳ／ＣＳデジタルチューナ８から受け取った映像音声信号を、ハイビジョン画質（ＨＤ画質）のまま又は標準画質（ＳＤ画質）に変換してから、内蔵しているバッファメモリに一時的に記憶し、その後ＨＤＤ記録再生部１１に送る。また、信号処理部９は、地上デジタルチューナ１〜７及びＢＳ／ＣＳデジタルチューナ８の各出力信号からＥＰＧ情報を抽出して制御部１０に送る。
【００２３】
また、信号処理部９は、制御部１０からの指示に基づいて、ユーザによるチャンネル選択に対応するチューナから受け取った音声信号を増幅部１３に出力し、ユーザによるチャンネル選択に対応するチューナから受け取った映像信号をＯＳＤ部１５に出力する、或いは、ＨＤＤ記録再生部６から読み出された音声信号を増幅部１３に出力し、ＨＤＤ記録再生部６から読み出された映像信号をＯＳＤ部１５に出力する。
【００２４】
制御部１０は、内蔵している不揮発性メモリに格納されている制御プログラムと、リモコン受信部１２から受け取った操作コードとに応じて、図１に示すテレビ受像機１００の各部を制御している。
【００２５】
制御部１０は、信号処理部９から送られたＥＰＧ情報に応じて、ＨＤＤ記録再生部１１がチャンネル毎及び番組毎にタイトル（一連の関連付けられた内容を有するデータ）を作成して記録を行うように、ＨＤＤ記録再生部１１に対して指示を出す。ＨＤＤ記録再生部１１は、制御部１０からの指示に基づいて、信号処理部９から受け取った映像音声信号をハードディスクに記録する。また、ＨＤＤ記録再生部１１は、制御部１０からの指示に基づいて、信号処理部９から受け取ったＥＰＧ情報もハードディスクに記録する。当該ＥＰＧ情報の各番組と上述したチャンネル毎及び番組毎に作成された各タイトルとは互いに関連付けられて記録されている。ＨＤＤ記録再生部１１では、古いタイトル及びＥＰＧ情報に新しいタイトル及びＥＰＧ情報が上書きされ、常に所定期間（例えば、現時点から直近の４８時間）に放送されたテレビ番組に対応するタイトル及びＥＰＧ情報が記録されている。また、ＨＤＤ記録再生部１１は、制御部１０からの指示に基づいて、ハードディスクに記録されている映像音声信号を再生しその再生信号を信号処理部に送る。
【００２６】
リモコン受信部１２は、リモコン送信機２００から送信されたリモコン赤外線信号を受光して電気信号に変換し、さらにその電気信号から操作コードを抽出して制御部１０に出力する。
【００２７】
増幅部１３は、制御部１０からの指示に基づいて増幅度を調整し、信号処理部９から出力された音声信号を増幅してスピーカ１４に供給する。スピーカ１４は増幅部１３から出力される増幅音声信号に応じた音声を発する。
【００２８】
ＯＳＤ部１５は、信号処理部９から出力された映像信号と制御部１０からの指示に基づいて生成したＯＳＤ画像データとを合成する第１の処理、上記合成処理を行わず信号処理部９から出力された映像信号をそのまま出力する第２の処理、上記合成処理を行わず制御部１０からの指示に基づいて生成したＯＳＤ画像データを出力する第３の処理、のいずれかを実行する。表示部１６はＯＳＤ部１５の出力に応じた映像を表示画面に表示する。
【００２９】
次に、リモコン送信機２００の外観例を図２に示す。図２に示すリモコン送信機２００は、電源キーＫ１と、上下左右キーＫ２と、決定キーＫ３と、チャンネルアップダウンキーＫ４と、音量アップダウンキーＫ５と、番組表キーＫ６と、番組先頭キーＫ７と、数字キーＫ８とを備えており、押圧されたキーに割り当てられた操作コードを変調した電気信号を生成し、その電気信号をリモコン赤外線信号に変換して出力する。
【００３０】
ユーザが電源キーＫ１を押圧する度に、図１に示すテレビ受像機１００の電源のＯＮ／ＯＦＦが切り替わる。但し、図１に示すテレビ受像機１００の電源がＯＦＦであっても、増幅部１３、スピーカ１４、ＯＳＤ部１５、及び表示部１６が非動作状態になるだけであり、所定期間（例えば、現時点から直近の４８時間）に放送されたテレビ番組に対応するタイトル及びＥＰＧ情報の記録は問題なく実行される。以下、図１に示すテレビ受像機１００の電源がＯＮであるときのキー操作について説明する。
【００３１】
ユーザが音量アップダウンキーＫ５を押圧することにより、増幅部１３での増幅度が変更され、スピーカ１４から出力される音声の音量が変更する。
【００３２】
ユーザがチャンネルアップダウンキーＫ４又は数字キーＫ８を押圧することにより、ユーザによるチャンネル選択が行われ、このチャンネル選択により現在放送されているテレビ番組を一通り確認することが可能である。そして、現在放送されているテレビ番組を一通り確認したところ、特に見たいテレビ番組が無かった場合、ユーザは番組表キーＫ６を押圧することにより、視聴することができるテレビ番組の選択肢を所定期間（例えば、現時点から直近の４８時間）に放送されたテレビ番組にまで拡げることができる。
【００３３】
ユーザが番組表キーＫ６を押圧すると、制御部１０は、番組表キーＫ６に割り当てられた操作コードをリモコン受信部１２から入力し、その入力した操作コードに従って、所定期間（例えば、現時点から直近の４８時間）に放送されたテレビ番組に対応するＥＰＧ情報をＨＤＤ記録再生部１１から取得し、その取得したＥＰＧ情報に基づくＯＳＤ画像データをＯＳＤ部１５に生成させる。これにより、表示部１６は例えば図３に示すような表示を行う。
【００３４】
図３に示す表示における選択枠１７は、ユーザが上下左右キーＫ２を押圧することにより移動可能である。ユーザは、視聴したいテレビ番組が選択枠１７で囲まれるように選択枠１７を移動させた後、決定キーＫ３を押圧することによりその視聴したいテレビ番組を見ることができる。すなわち、ユーザが決定キーＫ３を押圧すると、その押圧時点において選択枠１７に囲まれているテレビ番組の再生が開始され、その再生映像が表示部１６に表示され、その再生音声がスピーカ１４から出力される。
【００３５】
さらに、表示部１６が図３に示す表示を行っている状態で、ユーザがチャンネルアップダウンキーＫ４又は音量アップダウンキーＫ５のダウン側を押圧すると、図４に示すマーク１８が表示される。表示部１６がマーク１８の表示を行っている状態で、ユーザがチャンネルアップダウンキーＫ４又は音量アップダウンキーＫ５のダウン側を押圧することにより選択枠１７内でのマーク１８の下方向への移動が可能となり、ユーザがチャンネルアップダウンキーＫ４又は音量アップダウンキーＫ５のアップ側を押圧することにより選択枠１７内でのマーク１８の上方向への移動が可能となる。そして、表示部１６がマーク１８の表示を行っている状態でユーザが決定キーＫ３を押圧すると、その押圧時点において選択枠１７に囲まれているテレビ番組の再生がマーク１８に対応する箇所から開始され、その再生映像が表示部１６に表示され、その再生音声がスピーカ１４から出力される。
【００３６】
なお、マーク１８の一回の移動量としては、例えば番組表の１０分に対応する量にすることが考えられる。また、表示部１６がマーク１８の表示を行っている状態で、ユーザが上下左右キーＫ２を押圧すると、選択枠１７が移動するとともにマーク１８の表示が消えるようにするとよい。また、本実施形態では、チャンネルアップダウンキーＫ４及び音量アップダウンキーＫ５に本来の操作コード（チャンネルアップダウン用操作コード或いは音量アップダウン用操作コード）に加えてマーク１８の移動用操作コードを割り当てているが、マーク１８の移動用の専用キーをリモコン送信機２００に設けるようにしてもよい。
【００３７】
上記のようなマーク１８の表示を行うことにより、テレビ番組の途中からの視聴が容易になる。例えば、ニュース番組の特集コーナーなどは番組開始からどの程度経過したら始まるかがおおよそ決まっているので、マーク１８を利用して視聴開始箇所を指定し、ニュース番組の特集コーナーなどの直前から視聴を開始することができる。
【００３８】
一方、映画やドラマなどのテレビ番組では、テレビ受像機をつけた際既に放送が始まっており番組の途中からの視聴になる場合、ユーザが番組の先頭からの視聴を望むことが多い。図１に示すテレビ受像機１００は、ＨＤＤ記録再生部１１のタイムシフト再生（追っかけ再生）により、このような要望に対応することができる。
【００３９】
図１に示すテレビ受像機１００がユーザのチャンネル選択に応じた映像表示及び音声出力を行っているときに、ユーザが番組先頭キーＫ７を押圧すると、制御部１０は、ユーザのチャンネル選択に応じたテレビ番組の先頭箇所からの再生をＨＤＤ記録再生部１１に指示し、ＨＤＤ記録再生部１１から読み出された音声信号を増幅部１３に出力し、ＨＤＤ記録再生部６から読み出された映像信号をＯＳＤ部１５に出力するように信号処理部９に指示する。これにより、現在映像表示及び音声出力が行われているテレビ番組のタイムシフト再生（追っかけ再生）及びその視聴が１回のキー操作で実現でき、非常に利便性が高い。
【００４０】
特許文献１で提案されている放送信号蓄積装置においても、テレビ受像機で現在映像表示及び音声出力が行われているテレビ番組のタイムシフト再生（追っかけ再生）は可能である。しかしながら、当該放送信号蓄積装置とテレビ受像機とは別物であるため、当該放送信号蓄積装置は、テレビ受像機で現在映像表示及び音声出力が行われているテレビ番組がどの番組であるかを認識することができない。また、テレビ受像機が非外部入力状態であるため、テレビ受像機を当該放送信号蓄積装置が接続されている外部入力系を選択している状態に切り替えなければ、テレビ受像機でタイムシフト再生（追っかけ再生）のテレビ番組を視聴することができない。このため、特許文献１で提案されている放送信号蓄積装置では、現在映像表示及び音声出力が行われているテレビ番組のタイムシフト再生（追っかけ再生）及びその視聴が１回のキー操作で実現できないので、不便である。
【００４１】
次に、本発明に係るテレビ受像機の他の構成例を図５に示す。なお、図５において図１と同一の部分には同一の符号を付し詳細な説明を省略する。図５に示すテレビ受像機１０１は図１に示すテレビ受像機１００にインターネットに接続するためのモデム１９と、インターネット接続用端子Ｔ３とを備えている。
【００４２】
図５に示すテレビ受像機１０１では、信号処理部９が地上デジタルチューナ１〜７及びＢＳ／ＣＳデジタルチューナ８の各出力信号からＥＰＧ情報を抽出しない代わりに、制御部１０が、モデム１９、インターネット接続用端子Ｔ３、及びインターネット接続用端子Ｔ３−インターネット間のケーブル（不図示）を介して、ＥＰＧ情報を格納しているサーバー（不図示）にアクセスして、ＥＰＧ情報を取得している。
【００４３】
また、図５に示すテレビ受像機１０１からモデム１９を取り除き、外部ブロードバンドルータなどを介して、インターネット接続用端子Ｔ３とインターネットに接続するための外部モデムとを接続するようにしてもよい。この場合、当該外部モデムを本発明に係るテレビ受像機とパーソナルコンピュータなどのネットワーク機器とで共有することができる。
【００４４】
なお、本発明に係るテレビ受像機は上述した実施形態に限定されるものではない。
【００４５】
例えば、チューナの個数は８個に限らず、それより多くても少なくてもよい。本発明に係るテレビ受像機の設置地域が大阪である場合、ＮＨＫ総合、ＮＨＫ教育、毎日放送、朝日放送、テレビ大阪、関西テレビ、及び讀賣テレビの７局の地上デジタル放送信号を受信することができるが、本発明に係るテレビ受像機が地上波チューナを例えば４個しか備えていない場合、所定期間（例えば、現時点から直近の４８時間）に放送されたテレビ番組を記録するために３個の地上波チューナを用い、ユーザのチャンネル選択に応じた映像表示及び音声出力を行うために残りの１個の地上波チューナを用いるようにするとよい。この場合、所定期間（例えば、現時点から直近の４８時間）に放送されたテレビ番組を記録する３つのチャンネルを選択し、その選択結果を制御部１０の不揮発性メモリに格納するようにすればよい。
【００４６】
また、所定期間（例えば、現時点から直近の４８時間）に放送されたテレビ番組を記録する記録媒体はハードディスクに限定されることはなく、ランダムアクセスが可能な他の記録媒体であってもよい。また、記憶媒体の個数も１つに限定されることはなく、書き込み速度、読み出し速度、記録容量等を考慮してその個数を決定するとよい。
【００４７】
上述した図１に示すテレビ受像機１００や図５に示すテレビ受像機１０１では、ＨＤＤ記録再生部１１が古いタイトル及びＥＰＧ情報に新しいタイトル及びＥＰＧ情報を上書きして所定期間（例えば、現時点から直近の４８時間）に放送されたテレビ番組を記録しているため、所定期間より前に放送されたテレビ番組を時間が空いたときに視聴するというような利用ができない。また、本発明に係るテレビ受信機が備えるチューナの数が少ない場合、所定期間に放送されたテレビ番組であっても、所定期間に放送されたテレビ番組を記録するチャンネル以外のチャンネルである場合には、放送時間に合わせた視聴しかできない。
【００４８】
このような問題を解消するために、本発明に係るテレビ受信機が、ユーザによるキー操作で指定されたテレビ番組を録画保存する録画保存手段を備えるようにしてもよい。この場合、例えば図２に示すリモコン送信機２００に録画保存キーを設け、上述した図１に示すテレビ受像機１００や図５に示すテレビ受像機１０１において、表示部１６が現在放送されているテレビ番組の映像表示を行い、スピーカ１４が現在放送されているテレビ番組の音声出力を行っているときに、ユーザによって上記録画保存キーが押圧されると、表示部１６により映像表示が行われスピーカ１４により音声出力が行われているテレビ番組と同一のテレビ番組をＨＤＤ記録再生部１１が記録中であればその記録中のテレビ番組を上書き禁止とし、そうでなければＨＤＤ記録再生部１１が表示部１６により映像表示が行われスピーカ１４により音声出力が行われているテレビ番組と同一のテレビ番組の記録を開始（番組途中からの記録開始）しその記録開始のテレビ番組を上書き禁止とすることで、録画保存手段を実現するとよい。
【００４９】
また、表示部１６が図３に示す表示を行っている状態で、ユーザによって上記録画保存キーが押圧されると、その押圧時点において選択枠１７に囲まれているテレビ番組を上書き禁止とすることで、録画保存手段を実現してもよい。
【００５０】
上述した録画保存手段の二つの実現手法は組み合わせ可能である。また、録画保存対象のテレビ番組を「上書き禁止」にする代わりに、ＨＤＤ記録再生部１１以外の記録再生装置（例えば、ブルーレイディスク記録再生装置やＨＤＤ記録再生部１１以外のＨＤＤ記録再生装置）を設けその記録再生装置に録画保存対象のテレビ番組を「コピー記録」或いは「ムーブ記録」するようにしてもよい。
【００５１】
さらに、例えば図２に示すリモコン送信機２００に録画保存リストキーを設け、ユーザによって上記録画保存リストキーが押圧されると、表示部１６が、録画保存対象のテレビ番組を、日付順、五十音順、ジャンル順などでリスト表示するようにし、上下左右キーＫ２及び決定キーＫ３を用いて、再生する録画保存対象のテレビ番組を選択することができるようにしてもよい。
【符号の説明】
【００５２】
１〜７  地上デジタルチューナ
８  ＢＳ／ＣＳデジタルチューナ
９  信号処理部
１０  制御部
１１  ＨＤＤ記録再生部
１２  リモコン受信部
１３  増幅部
１４  スピーカ
１５  ＯＳＤ部
１６  表示部
１７  選択枠
１８  マーク
１９  モデム
１００  テレビ受像機
２００  リモコン送信機
ＡＮＴ１  ＵＨＦ帯受信用アンテナ
ＡＮＴ２  衛星デジタル放送受信用アンテナ
Ｋ１  電源キー
Ｋ２  上下左右キー
Ｋ３  決定キー
Ｋ４  チャンネルアップダウンキー
Ｋ５  音量アップダウンキー
Ｋ６  番組表キー
Ｋ７  番組先頭キー
Ｋ８  数字キー
Ｔ１  ＵＨＦ入力端子Ｔ１
Ｔ２  ＣＳ／ＢＳ−ＩＦ入力端子
Ｔ３  インターネット接続用端子
【図１】
2010232761.tif 000003
【図２】
2010232761.tif 000004
【図３】
2010232761.tif 000005
【図４】
2010232761.tif 000006
【図５】
2010232761.tif 000007